【手続補正書】
【提出日】平成20年5月21日(2008.5.21)
【手続補正１】
【補正対象書類名】明細書
【補正対象項目名】特許請求の範囲
【補正方法】変更
【補正の内容】
【特許請求の範囲】
【請求項１】  １）カチオン重合を受ける少なくとも一つのモノマーまたはオリゴマー；２）カチオン重合をサポートし得るバインダー；３）光化学照射に曝された場合に熱を発生する、媒体中に懸濁された遷移金属コロイド；及び４）熱への曝露時に酸を生成する化合物を含有してなるホログラフ記録媒体。
【請求項２】  「第１酸ジェネレーター」と呼ばれる、光化学照射への曝露時に酸を生成する化合物をさらに含有してなり、熱に曝された際に酸を生成する化合物を「第２酸ジェネレーター」と呼ぶ、請求項１記載のホログラフ記録媒体。
【請求項３】  「増感剤」とよばれる、特定の波長の光で酸を生成するように第１酸ジェネレーターに感光性を与える化合物をさらに含有してなる請求項２記載のホログラフ記録媒体。
【請求項４】  増感剤が少なくとも２つのアルキニル基または２つのアルケニル基で置換された芳香族炭化水素である請求項３記載のホログラフ記録媒体。
【請求項５】  第１酸ジェネレーターと第２酸ジェネレーターが同じものである請求項４記載のホログラフ記録媒体。
【請求項６】  第１酸ジェネレーターがジアリールヨードニウム塩である請求項２記載のホログラフ記録媒体。
【請求項７】  第２酸ジェネレーターがジアルキルアリールスルホニウム塩、ジアリールアルキルスルホニウム塩、ジアルキルフェナシルスルホニウム塩、ジアリールフェナシルスルホニウム塩、トリアリールスルホニウム塩またはトリアルキルスルホニウム塩である請求項２記載のホログラフ記録媒体。
【請求項８】  モノマーがエポキシドモノマーである請求項２記載のホログラフ記録媒体。
【請求項９】  バインダーがポリ（メチルフェニルシロキサン）であり、エポキシドモノマーが２以上のシクロヘキセンオキサイド基を含むシロキサンであり、かつ安定な遷移金属コロイド状ナノ粒子がパラジウム（０）またはプラチナ（０）ナノ粒子である請求項８記載のホログラフ記録媒体。
【請求項１０】  第１酸ジェネレーターおよび第２酸ジェネレーターがそれぞれ約０未満のｐＫａを有する酸を生成するものである請求項８記載のホログラフ記録媒体。
【請求項１１】  金属コロイドが金、銀、ニッケル、コバルトまたは銅である請求項８記載のホログラフ記録媒体。
【請求項１２】  「増感剤」と呼ばれる、特定の波長の光で酸を生成するように第１酸ジェネレーターに感光性を与える化合物をさらに含有してなる請求項９記載のホログラフ記録媒体。
【請求項１３】  第１酸ジェネレーターがジアリールヨードニウム塩であり、かつ第２酸ジェネレーターがジアルキルアリールスルホニウム塩、ジアリールアルキルスルホニウム塩、ジアルキルフェナシルスルホニウム塩、ジアリールフェナシルスルホニウム塩、トリアリールスルホニウム塩またはトリアルキルスルホニウム塩である請求項１２記載のホログラフ記録媒体。
【請求項１４】  エポキシドモノマーが３以上のシクロヘキセンオキサイド基を含む多官能性シロキサンである請求項８記載のホログラフ記録媒体。
【請求項１５】  カチオン重合を受ける第２モノマーをさらに含んでなる請求項９記載のホログラフ記録媒体。
【請求項１６】  第２モノマーが３以上のシクロヘキセンオキサイド基を含む多官能性シロキサンである請求項１５記載のホログラフ記録媒体。
【請求項１７】  カチオン重合を受ける第３モノマーをさらに含んでなる請求項１５記載のホログラフ記録媒体。
【請求項１８】  第３モノマーが１以上のアルケニルエーテル構造を含むビニルエーテル又は１以上のプロペニルエーテル構造を含むプロペニルエーテルである請求項１７記載のホログラフ記録媒体。
【請求項１９】  エポキシドモノマーがＲＳｉ（Ｒ1 ）2 ＯＳｉ（Ｒ2 ）2 ＲまたはＲ3 Ｓｉ（ＯＳｉ（Ｒ4 ）2 Ｒ5 ）3 
〔式中、Ｒ基はそれぞれ独立して、２〜１０個の炭素原子を有する一価のエポキシ官能基；
Ｒ1 基はそれぞれ、一価の置換もしくは非置換のＣ1-12アルキル基、Ｃ1-12シクロアルキル基、アラルキル基またはアリール基；
Ｒ2 基はそれぞれ独立して、Ｒ1 、すなわち一価の置換もしくは非置換のＣ1-12アルキル基、Ｃ1-12シクロアルキル基、アラルキル基またはアリール基；
Ｒ3 はＯＳｉ（Ｒ4 ）2 Ｒ5 構造、あるいは一価の置換もしくは非置換のＣ1-12アルキル基、Ｃ1-12シクロアルキル基、アラルキル基またはアリール基；
Ｒ4 基はそれぞれ独立して、一価の置換もしくは非置換のＣ1-12アルキル基、Ｃ1-12シクロアルキル基、アラルキル基またはアリール基；および
Ｒ5 はそれぞれ独立して、２〜１０個の炭素原子を有する一価のエポキシ官能基である〕
である請求項１２記載のホログラフ記録媒体。
【請求項２０】  エポキシドモノマーがＲＳｉ（Ｒ1 ）2 ＯＳｉ（Ｒ2 ）2 Ｒであって、Ｒが２−（３，４−エポキシシクロヘキシル）エチルであり；各Ｒ1 がメチル基、および各Ｒ2 基がメチル基であり；またはエポキシドモノマーがＲ3 Ｓｉ（ＯＳｉ（Ｒ4 ）2 Ｒ5 ）3 であって、Ｒ3 がメチル基もしくはＯＳｉ（Ｒ4 ）2 Ｒ5 であり；各Ｒ4 がメチル基、および各Ｒ5 基が２−（３，４−エポキシシクロヘキシル）エチルである請求項１９記載のホログラフ記録媒体。
【請求項２１】  約１０センチポイズを超える粘度を有する溶液中に分散された安定な遷移金属コロイド状ナノ粒子を含有してなる組成物。
【請求項２２】  金属ナノ粒子が可視照射の散乱が実質的に起こらないような平均直径を有するものである請求項２１記載の組成物。
【請求項２３】  金属ナノ粒子が約１００ｎｍ未満の平均直径を有するものである請求項２２記載の組成物。
【請求項２４】  溶液が１）カチオン条件下で重合するモノマーもしくはオリゴマー；または２）該モノマーのカチオン重合をサポートする「バインダー」；または３）カチオン条件下において重合するモノマーもしくはオリゴマーおよび該モノマーのカチオン重合をサポートするバインダーを含有してなるものである請求項２１記載の組成物。
【請求項２５】  バインダーが重合化モノマーまたは重合化オリゴマーの屈折率と少なくとも約０．０４異なる屈折率を有するものである請求項２４記載の組成物。
【請求項２６】  モノマーがエポキシドモノマーである請求項２５記載の組成物。
【請求項２７】  溶液が、バインダー約１０部およびモノマー約９０部（ｗ／ｗ）からモノマー約１０部およびバインダー約９０部（ｗ／ｗ）を含有してなるものである、請求項２６記載の組成物。
【請求項２８】  バインダーがポリ（メチルフェニルシロキサン）であり、かつエポキシドモノマーが２以上のシクロヘキセンオキサイド基を含むシロキサンである請求項２７記載の組成物。
【請求項２９】  エポキシドモノマーが３以上のシクロヘキセンオキサイド基を含む多官能性シロキサンである請求項２８記載の組成物。
【請求項３０】  カチオン条件下で重合する第２モノマーをさらに含んでなる請求項２８記載の組成物。
【請求項３１】  第２モノマーが３以上のシクロヘキセンオキサイド基を含む多官能性シロキサンである請求項３０記載の組成物。
【請求項３２】  カチオン条件下で重合する第３モノマーをさらに含有してなる請求項３０記載の組成物。
【請求項３３】  第３モノマーが１以上のアルケニルエーテル構造を含むビニルエーテル又は１以上のプロペニルエーテル構造を含むプロペニルエーテルである請求項３２記載の組成物。
【請求項３４】  エポキシドモノマーがＲＳｉ（Ｒ1 ）2 ＯＳｉ（Ｒ2 ）2 ＲまたはＲ3 Ｓｉ（ＯＳｉ（Ｒ4 ）2 Ｒ5 ）3 
〔式中、Ｒ基はそれぞれ独立して、２〜１０個の炭素原子を有する一価のエポキシ官能基；
Ｒ1 基はそれぞれ、一価の置換もしくは非置換のＣ1-12アルキル基、Ｃ1-12シクロアルキル基、アラルキル基またはアリール基；
Ｒ2 基はそれぞれ独立して、Ｒ1 、すなわち一価の置換もしくは非置換のＣ1-12アルキル基、Ｃ1-12シクロアルキル基、アラルキル基またはアリール基；
Ｒ3 はＯＳｉ（Ｒ4 ）2 Ｒ5 構造、あるいは一価の置換もしくは非置換のＣ1-12アルキル基、Ｃ1-12シクロアルキル基、アラルキル基またはアリール基；
Ｒ4 基はそれぞれ独立して、一価の置換もしくは非置換のＣ1-12アルキル基、Ｃ1-12シクロアルキル基、アラルキル基またはアリール基；および
Ｒ5 はそれぞれ独立して、２〜１０個の炭素原子を有する一価のエポキシ官能基である〕
である請求項２８記載の組成物。
【請求項３５】  安定な遷移金属コロイド状ナノ粒子がパラジウム（０）またはプラチナ（０）ナノ粒子である請求項２１又は３４記載の組成物。
【請求項３６】  遷移金属コロイド状ナノ粒子が金、銀、ニッケル、コバルトまたは銅である請求項２１又は３４記載の組成物。
【請求項３７】  エポキシドモノマーがＲＳｉ（Ｒ1 ）2 ＯＳｉ（Ｒ2 ）2 Ｒであって、Ｒが２−（３，４−エポキシシクロヘキシル）エチルであり；各Ｒ1 がメチル基、および各Ｒ2 基がメチル基であり；またはエポキシドモノマーがＲ3 Ｓｉ（ＯＳｉ（Ｒ4 ）2 Ｒ5 ）3 であって、Ｒ3 がメチル基もしくはＯＳｉ（Ｒ4 ）2 Ｒ5 であり；各Ｒ4 がメチル基であり、各Ｒ5 基が２−（３，４−エポキシシクロヘキシル）エチルである請求項３５記載の組成物。
【請求項３８】  バインダーが１，３，５−トリメチル−１，１，３，５，５−ペンタフェニルトリシロキサンである請求項３７記載の組成物。
【請求項３９】  約１０センチポイズを超える粘度を有する溶液中において有機遷移金属化合物を熱分解する工程を含む、安定な遷移金属コロイドディスパーションの製造方法。
【請求項４０】  有機遷移金属化合物が有機パラジウム（II）化合物または有機プラチナ（II）化合物である請求項３９記載の方法。
【請求項４１】  有機遷移金属化合物が金、銀、ニッケル、コバルトまたは銅を含むものである請求項３９記載の方法。
【請求項４２】  １）カチオン条件下で重合するモノマーもしくはオリゴマー；または２）カチオン重合をサポートするバインダー；または３）カチオン条件下で重合するモノマーもしくはオリゴマーおよびカチオン重合をサポートするバインダーを含有する溶液中において有機遷移金属化合物が熱分解される請求項４０記載の方法。
【請求項４３】  バインダーが重合化モノマーまたは重合化オリゴマーの屈折率と少なくとも約０．０４異なる屈折率を有するものである請求項４２記載の方法。
【請求項４４】  モノマーがエポキシドモノマーである請求項４３記載の方法。
【請求項４５】  溶液が、バインダー約１０部とモノマー約９０部（ｗ／ｗ）からモノマー約１０部とバインダー約９０部（ｗ／ｗ）を含有してなるものである請求項４４記載の方法。
【請求項４６】  バインダーがポリ（メチルフェニルシロキサン）であり、かつエポキシドモノマーが２以上のシクロヘキセンオキサイド基を含むシロキサンである請求項４５記載の方法。
【請求項４７】  エポキシドモノマーが３以上のシクロヘキセンオキサイド基を含む多官能性シロキサンである請求項４５記載の方法。
【請求項４８】  溶液がカチオン条件下で重合する第２モノマーをさらに含有してなるものである請求項４６記載の方法。
【請求項４９】  第２モノマーが３以上のシクロヘキセンオキサイド基を含む多官能性シロキサンである請求項４８記載の方法。
【請求項５０】  媒体がカチオン重合を受ける第３モノマーをさらに含有してなるものである請求項４８記載の方法。
【請求項５１】  第３モノマーが１以上のアルケニルエーテル構造を含むビニルエーテル又は１以上のプロペニルエーテル構造を含むプロペニルエーテルである請求項５０記載の方法。
【請求項５２】  エポキシドモノマーがＲＳｉ（Ｒ1 ）2 ＯＳｉ（Ｒ2 ）2 ＲまたはＲ3 Ｓｉ（ＯＳｉ（Ｒ4 ）2 Ｒ5 ）3 
〔式中、Ｒ基はそれぞれ独立して、２〜１０個の炭素原子を有する一価のエポキシ官能基；
Ｒ1 基はそれぞれ、一価の置換もしくは非置換のＣ1-12アルキル基、Ｃ1-12シクロアルキル基、アラルキル基またはアリール基；
Ｒ2 基はそれぞれ独立して、Ｒ1 、すなわち一価の置換もしくは非置換のＣ1-12アルキル基、Ｃ1-12シクロアルキル基、アラルキル基またはアリール基；
Ｒ3 はＯＳｉ（Ｒ4 ）2 Ｒ5 構造、あるいは一価の置換もしくは非置換のＣ1-12アルキル基、Ｃ1-12シクロアルキル基、アラルキル基またはアリール基；
Ｒ4 基はそれぞれ独立して、一価の置換もしくは非置換のＣ1-12アルキル基、Ｃ1-12シクロアルキル基、アラルキル基またはアリール基；および
Ｒ5 はそれぞれ独立して、２〜１０個の炭素原子を有する一価のエポキシ官能基である〕
である請求項４６記載の方法。
【請求項５３】  エポキシドモノマーがＲＳｉ（Ｒ1 ）2 ＯＳｉ（Ｒ2 ）2 Ｒであって、Ｒが２−（３，４−エポキシシクロヘキシル）エチルであり；各Ｒ1 がメチル基、および各Ｒ2 基がメチル基であり；またはエポキシドモノマーがＲ3 Ｓｉ（ＯＳｉ（Ｒ4 ）2 Ｒ5 ）3 であって、Ｒ3 がメチル基もしくはＯＳｉ（Ｒ4 ）2 Ｒ5 であり；各Ｒ4 がメチル基、および各Ｒ5 基が２−（３，４−エポキシシクロヘキシル）エチルであり；ならびにバインダーが１，３，５−トリメチル−１，１，３，５，５−ペンタフェニルトリシロキサンである請求項５２記載の方法。
【請求項５４】  ａ）カチオン条件下で重合するモノマーまたはオリゴマーおよび「バインダー」と呼ばれる、カチオン重合をサポートし得る第２成分を含有する溶液中で有機遷移金属化合物が熱分解され、それにより該溶液中で安定な遷移金属コロイド状ナノ粒子のディスパーションを形成する工程；ならびに
ｂ）ａ）工程で形成されたディスパーションに「第１酸ジェネレーター」と呼ばれる、光化学照射への曝露時に酸を生成する化合物と「第２酸ジェネレーター」と呼ばれる、熱に曝された際に酸を生成する化合物とを添加する工程
を含む、請求項３９記載の方法。
【請求項５５】  ｂ）工程のディスパーションに「増感剤」と呼ばれる、特定の波長の光で酸を生成するように第１酸ジェネレーターに感光性を与える化合物を添加する工程をさらに含む請求項５４記載の方法。
【請求項５６】  増感剤が少なくとも２つのアルキニル基または２つのアルケニル基で置換された芳香族炭化水素である請求項５５記載の方法。
【請求項５７】  １）シロキサンである少なくとも一つのエポキシドモノマー；２）ポリメチルフェニルシロキサン；３）光化学照射に曝された場合に熱を発生する、媒体中に懸濁されたＰｄ（０）またはＰｔ（０）コロイド；４）「第１酸ジェネレーター」と呼ばれる、光化学照射に曝された場合に酸を生成する化合物；５）「第２酸ジェネレーター」と呼ばれる、熱に曝された場合に酸を生成する化合物；ならびに６）「増感剤」と呼ばれる、特定の波長の光で酸を生成するように第１酸ジェネレーターに感光性を与える化合物を含有してなる請求項２記載のホログラフ記録媒体。